(57)【要約】      （修正有）【課題】異なる大きさの様々な物品を同一の緩衝部材及び同一の収納容器により対応し、その収納手段は板体を折り曲げるだけの簡単な操作により折り曲げた状態を保持できるようにしたもので、収納作業や取り出し作業を容易にした緩衝部材を提供する。【解決手段】折曲板体と該折曲板体上の可撓性フィルム間に生じる間隙に物品を保持する緩衝部材において、折曲板体の物品を保持する部分の中央片部１０周囲に上下及び左右に折り曲げ部を設けて小寸法の立ち上げ片を形成し、該中央片部１０の四隅外方となる該小寸法の立ち上げ片部に左右及び左右の上下側切欠部を設けることにより小寸法の立ち上げ片部の端部側が該切欠部の内側に入り込むように形成し、外方の折り曲げ部に連続形成した外方上片部、外方下片部は該中央片部１０の裏側に、左立ち上げ片部、右立ち上げ片部は該中央片部１０に対して垂直方向へ折り曲げることを可能とした。【選択図】図３
0003181294.tif 000002
【実用新案登録請求の範囲】
【請求項１】
折曲板体と該折曲板体上の可撓性フィルム間に生じる間隙に物品を保持する緩衝部材において、折曲板体の物品を保持する部分の中央片部周囲に上下及び左右に折り曲げ部を設けて小寸法の立ち上げ片を形成し、該中央片部の四隅外方となる該小寸法の立ち上げ片部に左右及び左右の上下側切欠部を設けることにより小寸法の立ち上げ片部の端部側が該切欠部の内側に入り込むように形成し、外方の折り曲げ部に連続形成した外方上片部、外方下片部は該中央片部の裏側に、左立ち上げ片部、右立ち上げ片部は該中央片部に対して垂直方向へ折り曲げることを可能とした折曲板体と可撓性フィルムとを組み合わせた緩衝部材。
【請求項２】
切欠部は、上下及び左右折り曲げ部の内側折り曲げ部端部を底辺とし、外側折り曲げ部側を頂点とした三角形状に切欠してなることを特徴とする請求項１記載の折曲板体と可撓性フィルムとを組み合わせた緩衝部材。
【請求項３】
中央片部並びに小寸法の立ち上げ片部及び外方上片部、外方下片部により弾力性を有する物品緩衝支持のための部材及び空間を形成してなることを特徴とする請求項１又は２記載の折曲板体と可撓性フィルムとを組み合わせた緩衝部材。
【請求項４】
左立ち上げ片部及び右立ち上げ片部を移動、収納、取り出し等のための把持部としてなることを特徴とする請求項１乃至３のいずれか記載の折曲板体と可撓性フィルムとを組み合わせた緩衝部材。
【請求項５】
左上下小寸法の立ち上げ片部及び右上下小寸法の立ち上げ片部の折り曲げ部での折り曲げにより側方側からの物品への衝撃緩和のための空間を形成してなることを特徴とする請求項１乃至４のいずれか記載の折曲板体と可撓性フィルムとを組み合わせた緩衝部材。
【請求項６】
折曲板体は、段ボール紙等の弾力性のある材料としたことを特徴とする請求項１乃至５のいずれか記載の折曲板体と可撓性フィルムとを組み合わせた緩衝部材。
【考案の詳細な説明】
【技術分野】
【０００１】
本考案は、物品収納体となる収納容器に様々な大きさの衝撃に弱い物品を収納する際に使用する緩衝用物品保持手段となる折曲板体と可撓性フィルムとを組み合わせた緩衝部材に関する。
【背景技術】
【０００２】
壊れ易い様々な大きさの物品や精密機器類等の衝撃に弱い物品を収納容器により運搬或いは保管する際 、外部からの衝撃が当該物品に直接伝わらないようにするために各種の衝撃緩衝手段が考えられているが、その内の最も有効な手段として可撓性フィルムを利用するものがある。
【０００３】
上記可撓性フィルムを利用する手段は、図５（ａ）に示すように、段ボール紙や他の材料からなる保持体としての枠体Ａと該枠体Ａ間に保持された上下の該可撓性フィルムＢとで形成された緩衝部材間に物品Ｃを挟持し、或いは図５（ｂ）に示すように、可撓性フィルムＤを弾力性のある保持体としての板体Ｅ上にその左右端部Ｆのみを固定し、該可撓性フィルムＤと板体Ｅ間の物品Ｃを該可撓性フィルムＤにより該板体Ｅ側に押し付け支持することにより、外部からの衝撃を該可撓性フィルムＤ或いは弾力性を有する保持体としての板体Ｅにより吸収し、大きな衝撃が該物品Ｃに直接伝わることを防止している技術がある。
【０００４】
また、図５（ｃ）に示すように、板体Ｅの左右に折り曲げ片Ｇを突出させて設け、該折り曲げ片Ｇに端部が固定された可撓性フィルムＨにより物品Ｃを支持し、その該折り曲げ片Ｇを物品Ｃ側に折り曲げることにより他の物品収納体となる収納容器Ｉへの収納案内手段及び取り出しのための取り出し手段とするタイプの緩衝部材がある。
【先行技術文献】
【特許文献】
【０００５】
【特許文献１】特開２００７−２９０７４１号公報
【特許文献２】特開平１１−２０８７２６号公報
【考案の概要】
【考案が解決しようとする課題】
【０００６】
上記図５（ａ）、（ｂ）の板体Ａ又は板体Ｅと可撓性フィルムＢ、Ｄとの組み合わせよりなる緩衝部材は、物品Ｃを衝撃から守るには適しているが、運搬する場合には、該緩衝部材を別途収納容器へ収納する等により行うことになり、その際、該収納容器からの衝撃を避けるためには他の衝撃緩和手段を考えなければならなかった。また、該収納容器への収納や取り出しにも工夫が要るものであった。
【０００７】
他方、図５（ｃ）のように、板体を折り曲げて折り曲げ片Ｇを設け、その折り曲げ片Ｇを収納容器Ｉへの収納案内手段及び取り出しのための取り出し手段とすることができるが、該収納容器Ｉへの収納時に強制的に該板体Ｅを折り曲げなければならず、また、取り出した後は該折り曲げ片Ｇが元の平面状態となる板体へ戻る動きが生じていた。
【０００８】
従って、収納時には物品Ｃを可撓性フィルムＨにより板体Ｅ側へ押圧した状態で、該板体Ｅの折り曲げ片Ｇの折り曲げ状態を維持しながら収納作業を行わなくてはならず、また、取り出した後の板体の折り曲げ部の元へ戻る現象により緩衝部材に反発力が作用し、取り扱いづらかった。
【０００９】
本考案は、上記欠点を解決したもので、異なる大きさの様々な物品を同一の緩衝部材及び同一の収納容器により対応できるようにし、その収納手段は板体を単に折り曲げるだけの簡単な操作により折り曲げた状態を維持して対応できるようにしたので、収納作業や取り出し作業を簡便に行うことのできる緩衝部材を提供するものである。
【課題を解決するための手段】
【００１０】
本考案は、折曲板体と該折曲板体上の可撓性フィルム間に生じる間隙に物品を保持する緩衝部材において、折曲板体の物品を保持する部分の中央片部周囲に上下及び左右に折り曲げ部を設けて小寸法の立ち上げ片を形成し、該中央片部の四隅外方となる該小寸法の立ち上げ片部に左右及び左右の上下側切欠部を設けることにより小寸法の立ち上げ片部の端部側が該切欠部の内側に入り込むように形成し、外方の折り曲げ部に連続形成した外方上片部、外方下片部は該中央片部の裏側に、左立ち上げ片部、右立ち上げ片部は該中央片部に対して垂直方向へ折り曲げることを可能とした折曲板体と可撓性フィルムとを組み合わせた緩衝部材を特徴とする。
【００１１】
また、上記切欠部は、上下及び左右折り曲げ部の内側折り曲げ部端部を底辺とし、外側折り曲げ部側を頂点とした三角形状に切欠してなる折曲板体と可撓性フィルムとを組み合わせた緩衝部材を特徴とする。
【００１２】
更に、上記中央片部並びに小寸法の立ち上げ片部及び外方上片部、外方下片部により弾力性を有する物品緩衝支持のための部材及び空間を形成してなる折曲板体と可撓性フィルムとを組み合わせた緩衝部材を特徴とする。
【００１３】
また、上記左立ち上げ片部及び右立ち上げ片部を移動、収納、取り出し等のための把持部としてなる折曲板体と可撓性フィルムとを組み合わせた緩衝部材を特徴とする。
【００１４】
更に、上記左上下小寸法の立ち上げ片部及び右上下小寸法の立ち上げ片部の折り曲げ部での折り曲げにより側方側からの物品への衝撃緩和のための空間を形成してなる折曲板体と可撓性フィルムとを組み合わせた緩衝部材を特徴とする。
【００１５】
また、上記折曲板体は、段ボール紙等の弾力性のある材料とした折曲板体と可撓性フィルムとを組み合わせた緩衝部材を特徴とする。
【考案の効果】
【００１６】
物品を収納した後、可撓性フィルムを引張させる方向に折曲板体を折り曲げ組み立てを行うことになるので、該物品は、該可撓性フィルムにより折曲板体側へ強く押圧され、強固に保持されることになる。
【００１７】
折り曲げ組み立てされた緩衝部材は、その折り曲げた状態をそのまま自立保持することが可能となるので、該緩衝部材を別途収納容器に入れ易くなった。
【００１８】
また、収納容器から取り出す場合においても、折り曲げた状態を保持したまま作業をすることができるので、該緩衝部材を組み立てる前の平板状態へ戻ろうとする力が作用することがなく、安全な状態で別途収納容器からの緩衝部材の取り出し作業及び該緩衝部材からの物品の取り出し作業を行うことが可能となった。
【図面の簡単な説明】
【００１９】
【図１】本考案の折曲板体と可撓性フィルムとを組み合わせた緩衝部材の展開平面図。
【図２】本考案の折曲板体と可撓性フィルムとを組み合わせた緩衝部材の折曲板体の一部を裏側へ折り曲げた平面図。
【図３】（ａ）本考案の折曲板体と可撓性フィルムとを組み合わせた緩衝部材を折り曲げ完成させた平面図、（ｂ）同側面図、（ｃ）同斜視図。
【図４】（ａ）本考案の折曲板体と可撓性フィルムとを組み合わせて該折曲板体を折り曲げた緩衝部材を別途収納容器に収めた状態を示す平面図、（ｂ）同側断面図。
【図５】（ａ）枠体と可撓性フィルムとを組み合わせた従来の緩衝部材の側断面図、（ｂ）板体と可撓性フィルムとを組み合わせ従来の他の実施例の緩衝部材の側断面図、（ｃ）可撓性フィルムを利用した従来の緩衝部材を収納容器に収めた状態を示す側断面図。
【考案を実施するための形態】
【００２０】
以下、図面を参考に本考案の実施例を説明する。
【実施例１】
【００２１】
図１は、本考案の折曲板体と可撓性フィルムとを組み合わせた緩衝部材１を構成する保持体としての折曲板体２及びその中央部に敷設された可撓性フィルム３との展開平面図を示している。該折曲板体２は、段ボール紙や他の材料からなり、収納の対象となる物品Ｗ１に揺れが生じても破損しないような弾力が得られるものを採用する。
【００２２】
該折曲板体２の表面上には、該可撓性フィルム３が該折曲板体２の中央部に敷設され、その上下の両端部４ａ、４ｂのみが該折曲板体２に固定され、その間を非固定部分としている。該折曲板体２と可撓性フィルム３とにより緩衝部材１を構成し、該折曲板体２と可撓性フィルム３との間に適宜大きさの物品Ｗ１を横方向より収納することになる。
【００２３】
該緩衝部材１は、該折曲板体２と可撓性フィルム３との間に物品Ｗ１を収納し、図２に示すように、該折曲板体２の上下に設けられた上片部及び下片部を折れ曲がり部に沿って裏面側へ折曲することにより該可撓性フィルム３に引張力を付与し、該物品Ｗ１を折曲板体２側へ押し付け、強固に固定して別体の収納容器５に収納することになる。
【００２４】
本実施例１に示す折曲板体２は、平板上の物品Ｗ１を保持する箇所の上下の横方向及び左右の縦方向に各々所定間隔を有した平行な折り曲げ部を設けている。図１に示すように、物品Ｗ１を保持する箇所の折曲板体２の上方部に上横折り曲げ部６ａ、６ｂ、下方部に下横折り曲げ部７ａ、７ｂを各々設け、他方、左右の縦方向には左側折り曲げ部８ａ、８ｂ及び右側折り曲げ部９ａ、９ｂを各々設け、上記上下の横折り曲げ部６ａ、７ａ間及び上記左右側折り曲げ部８ａ、９ａ間の折曲板体２の表面側を物品Ｗ１の載置スペースとなる中央片部１０としている。
【００２５】
上横折り曲げ部６ａ、６ｂ間の上片部側は底側立ち上げ片部１１として形成され、該上横折り曲げ部６ａで裏側へ９０度折り曲げ、該上横折り曲げ部６ｂで更に中央片部１０の裏側へ９０度折り曲げることで、折り曲げ後において該底側立ち上げ片部１１は略垂直状の立ち上がり部として形成され、該底側立ち上げ片部１１に連結する外方上片部１２は該中央片部１０の裏側へ該中央片部１０と該底側立ち上げ片部１１の幅寸法（組み立て後の高さ）間隔を隔てて平行の位置に折り曲げ組み立てられることになる。
【００２６】
他方、下横折り曲げ部７ａ、７ｂ間の下片部側も底側立ち上げ片部１３として形成され、該下横折り曲げ部７ａで裏側へ９０度折り曲げ、該下横折り曲げ部７ｂで更に中央片部１０の裏側へ９０度折り曲げることで、折り曲げ後において該底側立ち上げ片部１３は略垂直状の立ち上がり部として形成され、該底側立ち上げ片部１３に連結する外方下片部１４は該中央片部１０の裏側へ該中央片部１０と該底側立ち上げ片部１３の幅寸法間隔を隔てて平行の位置に折り曲げ組み立てられることになる。
【００２７】
該上横折り曲げ部６ａ、６ｂは、左右方向へ延設され、各々左上横折り曲げ部６ｃ、６ｄ及び右上横折り曲げ部６ｅ、６ｆを形成し、該左上横折り曲げ部６ｃ、６ｄ間は左上側立ち上げ片部１５として形成され、該左上側立ち上げ片部１５に連続してその外方に該左上側立ち上げ片部１５の幅寸法間隔を隔てて左上外側立ち上げ片部１６を形成している。
【００２８】
該左上横折り曲げ部６ｃで裏側へ９０度折り曲げ、該左上横折り曲げ部６ｄで更に９０度裏側へ折り曲げることになる。この折り曲げは、図２に示すように、上横折り曲げ部６ａ、６ｂの折り曲げと同時に行うことになる。
【００２９】
他方、該右上横折り曲げ部６ｅ、６ｆ間は右上側立ち上げ片部１７として形成され、該右上側立ち上げ片部１７に連続してその外方に該右上側立ち上げ片部１７の幅寸法間隔を隔てて右上外側立ち上げ片部１８が形成されている。
【００３０】
該右上横折り曲げ部６ｅで裏側へ９０度折り曲げ、該右上横折り曲げ部６ｆで更に９０度裏側へ折り曲げることになる。この折り曲げは、上記同様、上横折り曲げ部６ａ、６ｂの折り曲げと同時に行うことになる。
【００３１】
該下横折り曲げ部７ａ、７ｂは、左右方向へ延設され、各々左下横折り曲げ部７ｃ、７ｄ及び右下横折り曲げ部７ｅ、７ｆを形成し、該左下横折り曲げ部７ｃ、７ｄ間は左下側立ち上げ片部１９として形成され、該左下側立ち上げ片部１９に連続してその外方に該左下側立ち上げ片部１９の幅寸法間隔を隔てて左下外側立ち上げ片部２０を形成している。
【００３２】
該左下横折り曲げ部７ｃで裏側へ９０度折り曲げ、該左下横折り曲げ部７ｄで更に９０度裏側へ折り曲げることになる。この折り曲げは、下横折り曲げ部７ａ、７ｂの折り曲げと同時に行うことになる。
【００３３】
他方、該右下横折り曲げ部７ｅ、７ｆ間は右下側立ち上げ片部２１として形成され、該右下側立ち上げ片部２１に連続してその外方に該右下側立ち上げ片部２１の幅寸法間隔を隔てて右下外側立ち上げ片部２２が形成されている。
【００３４】
該右下横折り曲げ部７ｅで裏側へ９０度折り曲げ、該右下横折り曲げ部７ｆで更に９０度裏側へ折り曲げることになる。この折り曲げは、上記同様、下横折り曲げ部７ａ、７ｂの折り曲げと同時に行うことになる。
【００３５】
上記各々の折り曲げ部での折り曲げにより、図２に示すような折曲板体２と可撓性フィルム３との間に収納した物品Ｗ１を強く保持するために該可撓性フィルム３に張力を付与した状態とすることができる。
【００３６】
該左側折り曲げ部８ａ、８ｂ間は左底側立ち上げ片部２３として形成され、該左底側立ち上げ片部２３に連続してその外方に左上内側立ち上げ片部２４を形成している。
【００３７】
図２に示した状態から、該左側折り曲げ部８ａで裏側へ９０度折り曲げ、該左底側立ち上げ片部２３を底側の立ち上げ部とし、その外側の左側折り曲げ部８ｂで折り返して左上内側立ち上げ片部２４を９０度上方へ立ち上げることにより、図３に示した状態とすることができる。
【００３８】
他方、該右側折り曲げ部９ａ、９ｂ間は右底側立ち上げ片部２５として形成され、該右底側立ち上げ片部２５に連続してその外方に右上内側立ち上げ片部２６を形成している。
【００３９】
上記同様、図２に示した状態から、該右側折り曲げ部９ａで裏側へ９０度折り曲げ、該右底側立ち上げ片部２５を底側の立ち上げ部とし、その外側の右側折り曲げ部９ｂで折り返して右上内側立ち上げ片部２６を９０度上方へ立ち上げることにより、図３に示した状態とすることができる。
【００４０】
底側立ち上げ片部１１に連続する左上側立ち上げ片部１５及び右上側立ち上げ片部１７間には中央片部１０の隅部での折り曲げを可能とするために各々三角形状の切欠部２７、２８を設けている。
【００４１】
該切欠部２７、２８は、各々左底側立ち上げ片部２３及び右底側立ち上げ片部２５の端部を底辺とし、左上外側立ち上げ片部１６及び右上外側立ち上げ片部１８側を頂点とした三角形状のものとしている。折り曲げ時に、図３に示すように、左上側立ち上げ片部１５、左底側立ち上げ片部２３及び右上側立ち上げ片部１７、右底側立ち上げ片部２５の端部側が各々底側立ち上げ片部１１の内側に入り込んで収まるようにしている。
【００４２】
他方、底側立ち上げ片部１３に連続する左下側立ち上げ片部１９及び右下側立ち上げ片部２１間にも中央片部１０の隅部での折り曲げを可能とするために各々三角形状の切欠部２９、３０を設けている。
【００４３】
該切欠部２９、３０は、各々左底側立ち上げ片部２３及び右底側立ち上げ片部２５の端部を底辺とし、左下外側立ち上げ片部２０及び右下外側立ち上げ片部２２側を頂点とした三角形状のものとしている。折り曲げ時に、左下側立ち上げ片部１９、左底側立ち上げ片部２３及び右下側立ち上げ片部２１、右底側立ち上げ片部２５の端部側が各々底側立ち上げ片部１３の内側に入り込んで収まるようにしている。
【００４４】
上記折り曲げにより、左右の立ち上げ片部は立ち上がった状態を保持することができ、開放する方向へ別途力を作用させない限り該左右の立ち上げ片部が平面状態に戻ることはない。
【００４５】
図３は、図２の状態のものを左側折り曲げ部８ａ、８ｂ及び右側折り曲げ部９ａ、９ｂで折り曲げたもので、（ａ）は平面図、（ｂ）は側面図及び（ｃ）は斜視図を各々示している。
【００４６】
物品Ｗ１を可撓性フィルム３と中央片部１０との間へ側方から挿入し、各片部を折り曲げて図３の状態に折曲したものを図４に示す別途収納容器５に挿入配置することになる。その際、左上内側立ち上げ片部２４及び右上内側立ち上げ片部２６は、上方へ延出し、且つ左上外側立ち上げ片部１６及び左下外側立ち上げ片部２０との間並びに右上外側立ち上げ片部１８及び右下外側立ち上げ片部２２との間は、左上側立ち上げ片部１５、右上側立ち上げ片部１７及び左下側立ち上げ片部１９、右下側立ち上げ片部２１の幅寸法に相当する所定間隔を有しているので、該左上内側立ち上げ片部２４及び右上内側立ち上げ片部２６を把持して該収納容器５の内側壁に作業者の指等が接触することなく容易に収納することが可能となる。
【００４７】
また、収納後にあっては、底側立ち上げ片部１１、１３、左底側立ち上げ片部２３、右底側立ち上げ片部２５により物品Ｗ１を載置固定している中央片部１０は、収納容器５の底部より立ち上がった箇所に位置していることになり、収納容器５に衝撃が加わっても物品Ｗ１にはその衝撃が直接伝わることなく緩和させることが可能となる。
【００４８】
更に、左上内側立ち上げ片部２４と左上外側立ち上げ片部１６、左下外側立ち上げ片部２０並びに右上内側立ち上げ片部２６と右上外側立ち上げ片部１８、右下外側立ち上げ片部２２間に所定寸法の間隔を有した空間が形成されることになり、収納容器５に側方からの衝撃が加わっても物品Ｗ１にはその衝撃が直接伝わることなく緩和させることが可能となる。
【００４９】
また、該中央片部１０の大きさを該収納容器５の内側寸法とほぼ同一状態となるように形成しておくことにより、該底側立ち上げ片部１１、１３及び左上外側立ち上げ片部１６、右上外側立ち上げ片部１８、左下外側立ち上げ片部２０、右下外側立ち上げ片部２２は折り曲げ前の戻る方向へ力が作用することになるので、それらが該収納容器５の内壁に強く密着することになり、該収納容器５が反転等しても収納した状態を保持することができる。
【００５０】
該緩衝部材１は、左右の立ち上げ片部を立ち上げた状態が自立維持されて収納容器５に収納することができるが、同様に、該緩衝部材１を取り出した場合も、図３に示した状態を維持することができる。従って、取り出し時における立ち上げ片部の平面状態方向への戻る作用による衝撃がなく、各片部を元に戻す別途作業により安全且つ容易に緩衝部材１から物品Ｗ１を取り出すことができる。
【００５１】
物品Ｗ１を取り出した緩衝部材１は、反復使用できることは言うまでもない。
【００５２】
なお、上記実施例において上下及び左右等と記載しているが、実施例を説明する上で便宜上使用したものであり、位置関係によっては左右が上下となったり、上下が左右となるものであり、この言葉に拘束されるものではない。
【符号の説明】
【００５３】
１                        緩衝部材
２                        板体
３                        可撓性フィルム
４ａ、４ｂ                両端部
５                        収納容器
６ａ、６ｂ                上横折り曲げ部
６ｃ、６ｄ                左上横折り曲げ部
６ｅ、６ｆ                右上横折り曲げ部
７ａ、７ｂ                下横折り曲げ部
７ｃ、７ｄ                左下横折り曲げ部
７ｅ、７ｆ                右下横折り曲げ部
８ａ、８ｂ                左側折り曲げ部
９ａ、９ｂ                右側折り曲げ部
１０                      中央片部
１１                      底側立ち上げ片部
１２                      外方上片部
１３                      底側立ち上げ片部
１４                      外方下片部
１５                      左上側立ち上げ片部
１６                      左上外側立ち上げ片部
１７                      右上側立ち上げ片部
１８                      右上外側立ち上げ片部
１９                      左下側立ち上げ片部
２０                      左下外側立ち上げ片部
２１                      右下側立ち上げ片部
２２                      右下外側立ち上げ片部
２３                      左底側立ち上げ片部
２４                      左上内側立ち上げ片部
２５                      右底側立ち上げ片部
２６                      右上内側立ち上げ片部
２７、２８、２９、３０    切欠部
【図１】
0003181294.tif 000003
【図２】
0003181294.tif 000004
【図３】
0003181294.tif 000005
【図４】
0003181294.tif 000006
【図５】
0003181294.tif 000007